(57)【要約】【課題】  検査を行い、検査結果を表示するための方法および装置を提供する。【解決手段】  検査機器が、検査中にユーザを支援するための次の提案操作ステップ機能を備える。完了したプロジェクトの量を、例えば完了割合値として示すためにディスプレイを設ける。個々の検査結果を「後で直す」リストに保存することができ、それらの結果に後でアクセスして、最初の検査で合格していないことがある項目を再検査することができる。【選択図】      図１
2013164852.tif 000002
【特許請求の範囲】
【請求項１】
検査中のプロジェクトに関する、検査状態が含まれる情報を記憶するためのプロジェクト・メモリと、
完了した前記検査中のプロジェクトの量を求めるためのプロセッサと
を含む、検査機器。
【請求項２】
完了した前記プロジェクトの量を表示するためのディスプレイをさらに含む、請求項１に記載の検査機器。
【請求項３】
完了した前記プロジェクトの表示される量が、完了割合値として表示される、請求項２に記載の検査機器。
【請求項４】
検査中のプロジェクトに関する、検査状態が含まれる情報を記憶するためのプロジェクト・メモリを設けるステップと、
完了した前記検査中のプロジェクトの量を求めるステップと
を含む、検査機器を動作させる方法。
【請求項５】
完了した前記プロジェクトの量を表示するステップをさらに含む、請求項４に記載の検査機器を動作させる方法。
【請求項６】
完了した前記プロジェクトの量を表示する前記ステップが、完了割合値を表示するステップを含む、請求項５に記載の検査機器を動作させる方法。
【請求項７】
ディスプレイを設けるステップと、
ユーザが選択するための、次の提案操作ステップを表示するステップと
を含む、検査機器を動作させる方法。
【請求項８】
ユーザが選択するための、次の提案操作ステップを表示する前記ステップが、前記次の操作ステップを達成するために選択するための、グラフィカル・インターフェイス要素を提供するステップを含む、請求項７に記載の検査機器を動作させる方法。
【請求項９】
前記グラフィカル・インターフェイス要素が特定の色を有する、請求項８に記載の検査機器を動作させる方法。
【請求項１０】
前記色には黄色が含まれる、請求項９に記載の検査機器を動作させる方法。
【請求項１１】
検査機能を提供するステップと、
後で直すために検査結果に印付けするオプションを提供するステップと
を含む、検査機器を動作させる方法。
【請求項１２】
後で直すために印付けした検査結果をリストに保存するステップをさらに含む、請求項１１に記載の検査機器を動作させる方法。
【請求項１３】
再検査する項目を選択するために、前記リストをユーザに提供するステップをさらに含む、請求項１２に記載の検査機器を動作させる方法。
【請求項１４】
検査中のケーブルに検査刺激を与え、前記ケーブルから測定結果を受け取って記録するための検査モジュールと、
再検査の根拠となる検査結果のリストを記憶するためのメモリと
を含む、検査機器。
【請求項１５】
再検査の根拠となる前記検査結果のリスト内に検査項目を記憶する働きをする、後で直す機能をさらに含む、請求項１４に記載の検査機器。
【請求項１６】
再検査の根拠となる前記検査結果のリストを表示するためのディスプレイをさらに含む、請求項１４に記載の検査機器。
【請求項１７】
再検査の根拠となる前記検査結果のリストから項目の１つを選択できるようにするための選択手段をさらに含む、請求項１６に記載の検査機器。
【請求項１８】
検査中のケーブルの表現をディスプレイ上に提供するステップと、
前記ディスプレイ上の前記ケーブルの表現の一部を、それに関係する検査結果を表示するために選択することにより、前記検査中のケーブル上の個々のコネクタまたは事象を選択できるようにするステップと
を含む、検査機器を動作させる方法。
【請求項１９】
前記選択できるようにするステップが、検査結果が入手可能な位置の表現を表示し、前記選択が行われるとき検査結果を表示するステップを含む、請求項１８に記載の検査機器を動作させる方法。
【請求項２０】
前記選択が、前記検査中のケーブルの一部のグラフィック描写の接触画面選択によるものである、請求項１９に記載の検査機器を動作させる方法。
【発明の詳細な説明】
【技術分野】
【０００１】
本発明は、検査および測定に関し、より詳細には、検査を行い、検査に由来する検査結果を表示するための方法および装置に関する。
【背景技術】
【０００２】
例えば多数のネットワーク・ケーブルを有する設備のセットアップおよび検査を行う際にコンピュータ・ネットワーク上で検査測定を行う場合、銅線ベースのネットワーク・ケーブル、光ファイバのネットワーク・ケーブル、または無線ネットワークのどれであろうと、様々なネットワーク・ケーブルの敷設が完全に機能することを確実にするように検査を行わなければならない。大型設備は、検査を必要とする数百またはそれ以上のケーブルを備え得る。したがって、検査を効率的に行うこと、および技術者の時間を効率的に使用することを可能にするために、検査過程を追跡することが重要になる。
【０００３】
検査機器は、文書化し、ネットワーク設備を試験するために、検査結果を保存する能力を含む場合がある。しかし、技術者は全ての検査結果が合格と表示されることを好むので、不合格の検査結果を保存することに対して心理的障壁があり得ることが分かっている。そのため、技術者は否定的な結果を保存することを拒否し、代わりに、おそらくネットワーク・ケーブルに対して何らかの是正的な調節を行った後、再検査しに戻ってくることを好むことがある。そのような行動は検査操作の効率を落とす可能性があり、さらには是正が必要であり得る項目の見落としを招く可能性がある。
【０００４】
ネットワーク検査機器を動作させるには、一定水準の技術的知識が必要な可能性があり、複数のオプションおよび検査項目群を使用できるため、特定の状況において、どの検査または測定を行うのかに関して経験の浅い技術者は混乱することがある。経験の浅い技術者に検査の大部分を行わせ、より経験を積んだ技術者が特に困難な問題に取り組むために、または最初の検査に合格しないネットワーク・ケーブルの敷設を是正するために、時間をとっておくことが望ましい。
【０００５】
図２〜図７は従来技術の表示画面を示し、図２および図３は検査を開始する開始画面を示す。図４および図５は、２種類の異なる検査情報概要画面を示し、図４は不合格の検査を示し、図５は合格した検査を示す。図６および図７は、検査結果を見るための画面を示す。
【０００６】
図８に、検査したケーブルについての従来技術の表示を示す。個々のケーブル・セグメントが示されているが、ある特定の単独のケーブル・セグメントの検査結果を見るには、別の表示画面に移り、関心のある特定のセグメントが見つかるまで結果をスクロールする必要がある。
【発明の概要】
【課題を解決するための手段】
【０００７】
本発明によれば、ネットワーク検査機器を動作させるための、およびネットワークの検査に由来する検査結果を表示するための、改善された表示方法および装置が提供される。
【０００８】
したがって本発明の目的は、改善されたネットワーク検査機器を提供することである。
【０００９】
本発明のさらなる目的は、プロジェクトの状態を容易に追跡できるようにする、改善されたネットワーク検査機器を提供することである。
【００１０】
本発明のさらに別の目的は、プロジェクトが完了した度合を提供する、改善されたネットワーク検査機器および方法を提供することである。
【００１１】
本発明のさらに別の目的は、実行すべき次の提案操作ステップを提供する、改善されたネットワーク検査機器および方法を提供することである。
【００１２】
本発明のさらに別の目的は、後で再検査すべき検査項目に印付けするオプションを提供する、改善されたネットワーク検査機器および方法を提供することである。
【００１３】
本発明の表示方法および装置の主題を本明細書の結論部分において特に指摘し、明確に主張する。ただし、類似の参照文字が類似の要素を指す添付図面と併せて解釈される以下の説明を参照することにより、さらなる利点および目的とともに、構成および動作方法の両方を、最も良く理解することができる。
【図面の簡単な説明】
【００１４】
【図１】本方法および装置を具体化する検査機器のブロック図である。
【図２】検査機器が提供する従来技術による表示の例である。
【図３】検査機器が提供する従来技術による表示の例である。
【図４】検査機器が提供する従来技術による表示の例である。
【図５】検査機器が提供する従来技術による表示の例である。
【図６】検査機器が提供する従来技術による表示の例である。
【図７】検査機器が提供する従来技術による表示の例である。
【図８】検査機器が提供する従来技術による表示の例である。
【図９】本発明によるホーム画面ビューである。
【図１０】プロジェクト・ページ表示である。
【図１１】「プロジェクト変更」ページ表示である。
【図１２】「プロジェクト管理」ページ表示である。
【図１３】「検査セットアップ」ページ表示である。
【図１４】「検査種類」ページ表示である。
【図１５】ツール設定ページ表示である。
【図１６】ツール設定ページ表示である。
【図１７】バージョン情報表示ページである。
【図１８】視覚的障害点測定器の検査オプションを選択することに由来する一例示的表示である。
【図１９】検査中に表示される画面を示す。
【図２０】検査中に表示される画面を示す。
【図２１】検査中に表示される画面を示す。
【図２２】検査中に表示される画面を示す。
【図２３】検査中に表示される画面を示す。
【図２４】検査中に表示される画面を示す。
【図２５】検査中に表示される画面を示す。
【図２６】結果閲覧画面を示す。
【図２７】結果閲覧画面を示す。
【図２８】結果閲覧画面を示す。
【図２９】結果閲覧画面を示す。
【図３０】ＩＤ変更画面である。
【図３１】新たなプロジェクト情報を入力するための特定の表示のビューである。
【発明を実施するための形態】
【００１５】
本発明の好ましい実施形態によるシステムは、ネットワークを検査するための方法および装置を含む。
【００１６】
本方法および装置は、次の提案操作ステップ情報をユーザに提供し、完了したプロジェクトの割合を表示する能力を提供し、検査結果を「後で直す」リストに保存するか直ちに検査し直す能力を提供する使い易い検査機器を提供することで、不合格の検査の追跡を依然として行いながら、不合格の結果を保存することに難色を示すユーザの傾向をなくす。完了したプロジェクトの全体的な量を容易に概観できるようにするためにプロジェクト完了割合量を表示するので、技術者または管理者は、プロジェクトがどの程度完了しており、どれ位の作業が残っているのかすぐに見ることができる。合格した検査項目、不合格の検査項目、または辛うじて合格した検査項目の数を与える形で、全体的な合否率を適切に表示する。結果を見直すとき、あらゆる不合格の検査結果をリストの上部に移動し、それにより、対処する必要がある結果の「パンチ・リスト」を提供し、合格した項目から不合格の項目を選別するために検査結果のリスト全体を検索する必要性をなくす。機器の操作中、多くの箇所で次の提案操作ステップ・オプションを例えば強調表示された次のオプション選択肢形式で提供し、装置を使用している技術者に「次に何をすべきか」についての操作上の支援を与える。
【００１７】
図９は本発明によるホーム画面を示し、好適には接触画面である画面１０には、操作者の名前１４とともにプロジェクト名１２を表示することができる。例えば特定のプロジェクト内の検査済のおよび／または検査に合格したネットワーク・ケーブルの割合を表す、検査済割合値を１６に表示する。
【００１８】
この例では、不合格の検査項目の値を好適には例えば赤などの色で１８に示す（１Ｘ）一方、任意選択で、値２０は、検査に辛うじて合格した１０個の項目を好適にはオレンジなどの別の色で示す。値２２は、これまでのところ１３個の項目が検査に合格したことを図中で好適には緑などのさらに別の色で示す。２４のインジケータは、ケーブルのどちらの端に結果が関係しているのかを示す一方、２６に表示する値は、実行している検査の種類についての様々な表示を与える。図中、CommScope TeraSPEEDタイプ・ファイバを検査している状態で、シングルモード自動ＯＴＤＲ検査、ＡＮＳＩ／ＴＩＡ−５６８−Ｃ規格検査とともに、光学検査機器を図示する。
【００１９】
表示領域２８は、（表示または検査すべき次の項目を指示するための）次のＩＤフィールド、および「オフの場合は自動ラベリング」などの状態を表示する能力を提供する。
【００２０】
ツール・アイコン３０は、ツール画面にアクセスできるようにし、プロジェクト・アイコン３２は、プロジェクト情報を見直しまたは編集するための画面にアクセスできるようにし、結果アイコン３４は、検査結果情報を閲覧し、編集するための結果画面にアクセスできるようにする。
【００２１】
画面の右下隅に示すアイコン３６は、機器を使用している技術者が取る次の提案操作ステップを表示する。図９の特定のビューでは、次の提案操作ステップは、検査を行うことを機器が提案していることを示す「検査」である。アイコン３６は、特定の実施形態では画面上の他のアイコンと区別し、「次に取る操作ステップ」用の配色テーマに合うよう、好適には黄色などの色を使って表示する。
【００２２】
電池状態インジケータ３８、音声またはテキスト通信画面を開くチャット・アイコン４０、現在の日時表示４２など、追加の情報を画面上に示してもよい。
【００２３】
プロジェクト・アイコンに関係する画面のビューである図１０〜図１２を参照して、図９内のアイコンを選択することで、図３１に示す新規プロジェクト画面などのプロジェクト管理画面にアクセスできるようになり、プロジェクト管理画面は、提供される接触画面キーボードを使ってプロジェクト名を入力することを可能にする。図１０は、既にセットアップされているプロジェクトのプロジェクト画面を示し、プロジェクト名（１２３を検査中）および操作者の名前が表示されている。検査結果を得た日付範囲を４４に表示し、現在の合格した／不合格の検査結果の数を４６に表示し、実行される複数の可能な検査（５０のFaultMap／ＯＭ３マルチモード５０、５２の自動ＯＴＤＲ／ＯＭ３マルチモード５０／ＡＮＳＩ／ＴＩＡ−５６８−Ｃ、操作者がビュー内にスクロールできるさらなる検査５４が続く）を示す検査セットアップ表示を４８に示す。
【００２４】
新規検査「ボタン」５６を設け、このボタンにより操作者は、既に保存した検査セット以外の、実行しようとする新たな検査パラメータおよび機能をセットアップすることができる。プロジェクト変更５８、管理６０、および完了６２（次の提案ステップ）を画面の一番下に設ける。
【００２５】
図１１はプロジェクト変更メニューを示し、終了／戻るボタン６４は前の画面に戻るように動作し、機器を使用している技術者がスクロールして所望のプロジェクトを選択できる様々な保存済プロジェクトが６６、６６’等に表示されており、またはボタン６８を選択することにより、新たなプロジェクトを入力し、セットアップすることができる。
【００２６】
図１２は、図１０の画面内のボタン６０を選択することによって到達するプロジェクト管理モードを示し、プロジェクトに新たな名前を与えるための再命名機能７０、新規プロジェクトを作成する際に使用するプロジェクトの特定の設定をコピーするためのコピー機能７２、またはプロジェクトおよびそのプロジェクトの検査結果を削除するための削除機能７４が使用可能である。６つの検査セットアップおよび５つのケーブルＩＤセットなど、７６および７８にはプロジェクトの構成情報が示され、プロジェクト完了割合が８０に表示され、プロジェクトのアップロード割合が８２に表示され、このアップロード割合８２は、例えばどれ位の量のプロジェクト結果がレポーティング・システムにアップロード済かを示すことができる。
【００２７】
図１３は検査セットアップ画面を示し、この画面では、実行しようとする特定の検査の詳細を検査の種類などのオプションに関して設定することができる（図１４は、特定の実施形態で選択することができる自動ＯＴＤＲ、手動ＯＴＤＲ、データ・センタＯＴＤＲ、FaultMap、およびFiberInspectorが含まれる、５つの例示的な検査種類を示す検査種類サブ画面を図示する）。図１３内で設定できる他のオプションには、起動補償(launch compensation)（オン／オフ）、波長、ファイバの種類、および検査限界(test limit)が含まれる。保存ボタンは、この画面内で取るべき次の提案ステップ８４であるのに対し、前の画面に戻るために「戻る」機能８６を設ける。
【００２８】
図１５〜図１７はツール画面を示し、この画面では、図１５では、表示メニューによって使用される言語、日時、数の書式（小数点は点かコンマか）、長さの値（フィートまたはメートル）、タイムアウトまでの時間、可聴音を使用するかどうか、電力線の周波数（５０Ｈｚ／６０Ｈｚ）、表示の可変部分など、様々な操作上のオプションを設定することができる。前の画面に戻るために戻るボタン８８を設ける。
【００２９】
図１６は、起動補償の設定、実時間トレース値の設定、視覚的障害点測定器の設定、自己診断機能、FiberInspector機能の設定など、さらなるセットアップ・ツールを示す。バージョン情報、電池状態、メモリ状態などのさらなる保守ツールを設ける。図１７は、バージョン情報オプションを選択することによって生じる表示の一例を示す。図１８は、視覚的障害点測定器を選択することによって生じる表示の一例を示し、検査機器は、ケーブル内のまたはラック内で終端される多くのファイバのうちの１本をトレースしようとするときに有用な、遠くから容易に見ることができる赤色光の明るいビームを発して簡単な終端間の導通チェックを行い、マルチファイバ・コネクタ内のファイバの実際の極性および配向を検証する。検査機器の可視表現とともに状態表示９０（活性状態）を示す。技術者がパルス可視ビームを活性化できるようにするために、パルス・ボタン９２を設ける。
【００３０】
図１９〜図２５は、検査中に表示される画面を示す。
【００３１】
図１９は、好ましい実施形態における、図９のホーム画面に対する代替的な「ホーム」画面のビューであり、１２３を検査中、と名付けられた特定の被選択検査プロジェクトを示す。この実施形態では、図９のプロジェクト・アイコン３２を有する代わりに、現在のプロジェクトが表示されている領域９３内の画面を選択することにより、プロジェクト選択画面（例えば図１０の画面）に移動する働きをする、プロジェクト選択機能を選ぶことができる。このビューでは１５本のケーブルが検査に合格しているのに対し、１３本は不合格になっている。実行している検査は、ＯＭ３マルチモード５０ミクロン・ケーブルに対する自動ＯＴＤＲであり、ＡＮＳＩ／ＴＩＡ−５６８−Ｃ規格に則って検査をしている。次のＩＤは空白であるのに対し、現在検査しているケーブルＩＤはＡＡ１２３であり、終端２はデスクであるように示されている。操作者の名前が示されている（Sena）。ツール・アイコンおよび結果アイコンが選択可能である一方、次の提案操作は「検査」である。
【００３２】
図２０は検査進捗画面を示し、この画面では、検査の種類を９４に表示し（ケーブルの終端２の自動ＯＴＤＲ）、１２個の小さな円の形を取るグラフィック表示９６が円状に規則正しく配置され、検査活動中の時間の経過を示すためにこれらの円は連続して強調表示されまたは変色され、残り時間フィールド９８は、進行中の特定の検査における残り時間の指示を与え、ポート接続品質フィールド１００は、複数の色領域１０３、１０５、および１０７を有する水平バー、ならびにその水平バーの長さに沿って移動する矢印１０２であって、最も左の位置は最低の品質性能を示し、最も右の位置は最高の品質性能を示す矢印１０２の形でいずれもグラフィカルに表示する。図示の特定の検査結果の品質が、検査のこの時点では低いので、低いという語１０４が表示されている。色１０３、１０５、および１０７は、好ましくない検査結果、辛うじて要件を満たす検査結果、および良好な検査結果を表し、例えば赤、黄色、および緑を含むことができる。検査が完了する前に技術者が検査をキャンセルできるようにするために、キャンセル・ボタン１０６を設ける。
【００３３】
図２１は、不合格状態を検出した場合の表示の一例を示す。検査している特定のケーブルの識別子を１０８に表示するとともに、不合格という語を１１０に表示し、好適には赤などの不合格を表す色からなる有色バー１０９内に設ける。図示の例では光ファイバ・ケーブルである検査中のケーブルの表現マップ１１２が、長さの値およびＸの付いた四角の形を取る故障事象の位置インジケータ１１４とともに示されている。検査機器自体は１１６に示されている。故障インジケータ・ボックス１１４の隣には、損失事象が検査機器から１００．５６メートルのところで検出されたことを示す表示ボックス１１８があり、損失値（１．０２ｄｂ）ならびに反射値（−２０ｄＢ）が表示されている。測定されたファイバ長の値（１０００．００メートル）、全体的な損失（１．４２ｄＢ）、および検査限界（ファイバ・チャネル１２００−Ｍ５Ｅ−ＳＮ−Ｉ）も示されている。図示のファイバ・マップ以外のさらなる表示オプションは、テーブル１２０またはトレース１２２であり、これらの表示オプションは図２３および図２４に示す他の形式で検査結果を表示し、（図２１内に表示するファイバ・マップ・オプションが選択されているように）テーブルまたはトレースという語を含むボックスに触れることによって選択される。
【００３４】
図２１の画面では、検査機器から、図示の表示では検査中のケーブルに沿ったコネクタである、見つかった様々な事象までの距離を表す距離値が表示されている。この特定の表示では、各コネクタが検査機器から０．５メートル、２５メートル、１００メートル、３００メートル、５００メートル、および１０００メートルの位置にある。
【００３５】
画面の一番下には「後で直す」ボタン１２４がさらに設けられ、このボタン１２４は、後で対処すべき項目リスト内にケーブル識別情報および検査情報を保存する働きをする。この機能は、技術者が特定の不合格の検査事項を調査または直さなければならないことを先送りするための容易な方法を提供する。
【００３６】
特定の実施形態では、再検査ボタン１２６を次の提案ステップとして、この場合もやはり黄色などの適切な色を使って示す。
【００３７】
図２２は、図２１の表示に対する代替的な表示を示し、図２２の特定の表示は、例えば図２１の形式に比べ、好ましい実施形態による画面表示の任意選択である。図２２では、図２１のファイバ・マップ・ビューを「事象マップ」ビューと呼び、この特定のビューは合格した検査結果のビューであり、検査機器から１８．２０メートルのところで０．１８ｄＢの損失値が検出されており、この特定の検査値は、ケーブル００６として識別されるケーブル上のものである。表示されている事象がケーブル上のどこに位置するのかをグラフィカルに表示するために、ケーブル表現の他の部分と異なる色のボックス１２８を示す。
【００３８】
図２１および図２２の画面では、垂直の線が検査中のケーブルの表現を示すのに対し、ボックス１１９、１１９’等はケーブル・コネクタを表す。円１２１は、検査中に検出された損失事象を表す。１１８、１１８’に示す表示測定値は、画面上のコネクタ／事象に触れることで個々の事象またはコネクタを選択することによって表示させることができ、その特定のコネクタまたは事象に関係する検査の詳細が図２１および図２２に示すように表示される。検査中のケーブルが十分に長いため、ケーブル全体の表現を画面上に表示できない場合、ケーブルの長さに沿って表示を前後にスクロールできるようにするためのスクロール・ボタンを設け、それにより全ての事象およびコネクタを見ることができる。
【００３９】
図２２の画面では、特定の事象またはコネクタから次の事象／コネクタまでの距離を表す距離値が表示されている。この特定の表示では、第１の事象が検査機器から１８．２０メートルのところにあり、後続のコネクタは８６．６８メートル、その５２．７４メートル後、その１．０２メートル後、その５２．５８メートル後、およびその１０２．４７メートル後のところにある。
【００４０】
図２３は、図２２のケーブル００６に関する検査データのテーブル・ビューを示し、（３１３．６９メートルのところにある）ケーブル端、（２１１．２２メートル、１５７．６２メートル、１０４．８８メートルにおける）反射など、事象の様々な値が表示されている。表示されている表形式データは８５０ｎｍにおいて示されており、他の周波数における検査データに移動できるようにするためのボタン１３０、１３２を設ける。図２３に示すような個々の事象の値ではなく、ケーブルの全体的な検査結果値を表示するための全体ボタン１３４を設ける。（好適には例えば緑の）有色バー１３６内に合格という語１３８が現れる。
【００４１】
図２４は、ケーブル００６に対する検査結果のトレース表示の一例を示し、検査中に見つかった事象間の移動を可能にする事象移動ボタン１４１、１４２とともに、トレース・ビューを与えるグラフィック表示１４０が示されている。カーソル１４４が、カーソル上部の強調表示１４８とともに（ボックス１４６で示す）１０９．９メートルの位置に置かれて示されており、第２のカーソル１５０が第１のカーソルの右側に位置付けられている。それぞれのカーソルにおける値の差を比較して領域１５２に測定値を示す（例えば、ΔｄＢ＝−０．２，Δｍ＝５４．６，ΔｄＢ／ｋｍ＝３．２）。
【００４２】
図２５は、FiberInspectorモードにおける表示画面の画面であり、この画面では、ファイバの終端の顕微鏡ビューが領域１５４内に表示されている。目盛１５８を交互にオフまたはオンにするための「目盛オフ」ボタン１５６、ならびにグレード・ボタン１６０、フォーカス・ボタン１６２、および次の矢印１６４を設ける。この画面では、保存ボタン１６６が次の提案ステップ操作ボタンであり、この場合もやはり黄色などの「提案の色」を使って提示される。
【００４３】
図２６〜図３０は、結果閲覧画面およびＩＤ変更画面を示す。
【００４４】
図２６は全結果閲覧画面を示し、活性状態プロジェクト領域１６８は現在活性状態にあるプロジェクトを表示し、他のプロジェクト領域１７０は装置内に記憶されている他のプロジェクトを示す。各プロジェクトのどの程度が機器から別の装置または記憶域にアップロードされたかを示すために、プロジェクト・アップロード割合値を表示する。選択したプロジェクトをアップロードするためにアップロード・ボタン１７２を使用するのに対し、削除ボタン１７４はプロジェクトを（例えばプロジェクト・データをアップロードした後に）削除できるようにする。このビュー内の次の提案手続きボタンである完了ボタン１７６を設ける。
【００４５】
図２７は結果管理画面を示し、この画面では検査プロジェクトの結果を表示し、ＩＤ／日付フィールド１７８を選択することにより、日付または識別情報順にソートすることができる。リスト内の全項目を再検査すべきことを指示するために再検査全選択チェック・ボックス１８０を使用でき、または個々のチェック・ボックス１８２、１８２’等を選択し、再検査を行うために項目の一部を選択してもよい。移動機能、再命名機能、および削除機能も使用可能であり、削除がこの特定の動作状態の次の提案ステップである。
【００４６】
図２８は、Main Street Hospitalと名付けられた、異なる検査に由来する様々な結果の組を示し、４件の不合格の検査、１件の辛うじて合格した検査、および２８３件の合格した検査を示す。４件の不合格の検査が「４件の要再検査」の表示とともに画面上部に表示されており、その後に１件の辛うじて合格した検査の結果、さらにその後に２８３件の合格した検査の結果が続き、これらは上下にスクロールして画面上のビュー内に所望の通りに移動させることができる。さらに操作するために、全て閲覧機能ボタン、アップロード機能ボタン、または管理機能ボタンを画面の下部で選択することができる。この特定の画面内では、次の提案ステップ・オプションは示されていない。
【００４７】
図２９は、１１件の合格した検査および２件の要再検査を示す、Januekと名付けられた検査セットについてのさらに別の結果表示を示す。この方法および装置は、再検査が必要な項目をパンチ・リスト内に提示し、技術者がどの項目を再検査する必要があるのかを容易に判定できるようにし、次いで再検査を達成できるようにすることにより、再検査を管理するための便利な方法を提供する。
【００４８】
図３０はＩＤ変更機能の表示画面を示し、この画面では、ケーブルＩＤ変更ボタン１８４を選択することにより、ある特定のケーブルに割り当てた識別子を変更することができ、これにより、特定のケーブル識別子の名前を編集できるようにするキーボード表示が提示される。「完了」が、この特定のビュー内で提示される次の提案ステップ・任意選択である。
【００４９】
次にこの特定の実施形態では光通信検査機器２００である検査機器のブロック図である図１を参照し、この機器は、特定の実施形態では光ネットワークである検査中のネットワーク２０２にネットワーク・インターフェイス２０４を介して接続する。この機器は、プロセッサ２０６、ＲＡＭ／ＲＯＭなどのメモリ２０８、永続記憶域２１０、装置をネットワークまたは他の外部装置（記憶域、他のコンピュータ等）に結合する入出力２１２、ディスプレイ２１４、ユーザ入力装置２１６（例えばキーボード、マウス、他のポインティング装置、接触画面など）、電池またはＡＣ電源が含まれ得る電源２１８を含む。顕微鏡２２０は、FiberInspectモードでファイバの端部を見るための点検機能を提供する。プロセッサは、ネットワーク向けの検査および測定機能を提供するように機器を動作させる。
【００５０】
動作面では、このネットワーク検査機器はネットワークに結合され、ネットワーク上の伝送を観測し、情報および統計値を集めるために刺激−応答測定を行い、検査および測定を行う。
【００５１】
本明細書に記載する方法および装置によれば、例えば有線ネットワーク、光ファイバ・ネットワーク、または無線ネットワークを検査するための改善された検査機器および方法が提供され、検査概要画面では、機器のユーザが取る可能な次のステップとして、後で直すオプションまたは再検査オプションを設ける。この用語は、「不合格」の結果を保存し、戻って直さなければならない懸念をなくす。このことは、不合格の結果を保存することに対する心理的障壁をいくらかなくす一方、不合格の検査を追跡できるようにし、後で直しまたは直ちに再検査するユーザの目前の課題に対処できるようにする。さらに、例えばホーム画面上にプロジェクト完了割合表示を示すことは改善策を提供し、これにより、結果を追跡するためにプロジェクトが完了した量を容易に測ることができる。ユーザは、特定のプロジェクトについて、あとどれ位の作業が残っているのか直ちに分かる。さらに、全体的な結果を直ちに見ることができるようにするために、合格した検査項目、不合格の検査項目、または辛うじて合格した検査項目の数の表示を提供する。さらに、結果表示画面上では、あらゆる不合格の結果を表示リストの上部に移動し、対処する必要がある結果の「パンチ・リスト」をもたらす。この種の組織化は、再検査が必要な不合格の項目を見つけるために技術者が結果の組を隅から隅まで探す必要性をなくす。好適には特定の有色機能ボタンまたは強調表示された機能ボタン（右下などの共通の画面位置におけるボタンに対する黄色い矢印の概観など）の形で次の提案操作ステップを与えることは、「次に何をすべきか」の提案形式でユーザを支援する。検査中のケーブルのグラフィック表示は、ケーブルの要素または事象のグラフィック描写、および結果として生じる被選択ケーブル要素または事象に関する特定の検査結果の表示に触れて選択することにより、ケーブル上の事象またはコネクタの個々の結果を見る容易な方法を提供する。
【００５２】
本発明の好ましい実施形態を図示し説明してきたが、本発明のより広範な態様から逸脱することなく、多くの変更および修正を加えてもよいことが当業者には明らかである。したがって、添付の特許請求の範囲は、本発明の真の趣旨および範囲に含まれるものとして、かかる全ての変更形態および修正形態を対象として含むことを意図する。
【符号の説明】
【００５３】
１０  画面
１２  プロジェクト名
１４  操作者の名前
１６  検査済割合値
１８  値
２０  値
２２  値
２４  インジケータ
２６  値
２８  表示領域
３０  ツール・アイコン
３２  プロジェクト・アイコン
３４  結果アイコン
３６  アイコン
３８  電池状態インジケータ
４０  チャット・アイコン
４２  現在の日時表示
４４  日付範囲
４６  現在の合格した／不合格の検査結果の数
４８  検査セットアップ表示
５０  FaultMap／ＯＭ３マルチモード５０
５２  自動ＯＴＤＲ／ＯＭ３マルチモード５０／ＡＮＳＩ／ＴＩＡ−５６８−Ｃ
５４  さらなる検査
５６  新規検査ボタン
５８  プロジェクト変更
６０  管理
６２  完了
６４  終了／戻るボタン
６６  保存済プロジェクト
６８  ボタン
７０  再命名機能
７２  コピー機能
７４  削除機能
７６  プロジェクトの構成情報
７８  プロジェクトの構成情報
８０  プロジェクト完了割合
８２  プロジェクトのアップロード割合
８４  次の提案ステップ
８６  戻る機能
８８  戻るボタン
９０  状態表示
９２  パルス・ボタン
９３  領域
９４  検査の種類
９６  グラフィック表示
９８  残り時間フィールド
１００  ポート接続品質フィールド
１０２  矢印
１０３  色領域
１０４  低いという語
１０５  色領域
１０６  キャンセル・ボタン
１０７  色領域
１０８  識別子
１０９  有色バー
１１０  不合格という語
１１２  表現マップ
１１４  位置インジケータ
１１６  検査機器
１１８  表示ボックス
１１９  ボックス
１２０  テーブル
１２１  円
１２２  トレース
１２４  後で直すボタン
１２６  再検査ボタン
１２８  ボックス
１３０  ボタン
１３２  ボタン
１３４  全体ボタン
１３６  有色バー
１３８  合格という語
１４０  グラフィック表示
１４１  事象移動ボタン
１４２  事象移動ボタン
１４４  カーソル
１４６  ボックス
１４８  強調表示
１５０  第２のカーソル
１５２  領域
１５４  領域
１５６  目盛オフ・ボタン
１５８  目盛
１６０  グレード・ボタン
１６２  フォーカス・ボタン
１６４  次の矢印
１６６  保存ボタン
１６８  活性状態プロジェクト領域
１７０  他のプロジェクト領域
１７２  アップロード・ボタン
１７４  削除ボタン
１７６  完了ボタン
１７８  ＩＤ／日付フィールド
１８０  再検査全選択チェック・ボックス
１８２  チェック・ボックス
１８４  ケーブルＩＤ変更ボタン
２００  光通信検査機器
２０２  ネットワーク
２０４  ネットワーク・インターフェイス
２０６  プロセッサ
２０８  メモリ
２１０  永続記憶域
２１２  入出力
２１４  ディスプレイ
２１６  ユーザ入力装置
２１８  電源
２２０  顕微鏡
【図１】
2013164852.tif 000003
【図２】
2013164852.tif 000004
【図３】
2013164852.tif 000005
【図４】
2013164852.tif 000006
【図５】
2013164852.tif 000007
【図６】
2013164852.tif 000008
【図７】
2013164852.tif 000009
【図８】
2013164852.tif 000010
【図９】
2013164852.tif 000011
【図１０】
2013164852.tif 000012
【図１１】
2013164852.tif 000013
【図１２】
2013164852.tif 000014
【図１３】
2013164852.tif 000015
【図１４】
2013164852.tif 000016
【図１５】
2013164852.tif 000017
【図１６】
2013164852.tif 000018
【図１７】
2013164852.tif 000019
【図１８】
2013164852.tif 000020
【図１９】
2013164852.tif 000021
【図２０】
2013164852.tif 000022
【図２１】
2013164852.tif 000023
【図２２】
2013164852.tif 000024
【図２３】
2013164852.tif 000025
【図２４】
2013164852.tif 000026
【図２５】
2013164852.tif 000027
【図２６】
2013164852.tif 000028
【図２７】
2013164852.tif 000029
【図２８】
2013164852.tif 000030
【図２９】
2013164852.tif 000031
【図３０】
2013164852.tif 000032
【図３１】
2013164852.tif 000033
【外国語明細書】
2013164852000001.pdf